(57)【要約】【課題】特殊な表面光沢（照り）が付与されたプリント物、光沢付与方法およびプリント物の製造方法を提供する。【解決手段】基材と、基材上に設けられた光沢層とを備え、光沢層は、透光性インクからなり、基材の表面に、面内の第１の方向に沿って形成された第１の突条を含む第１領域と、第１の方向とは異なる第２の方向に沿って形成された第２の突条を含む第２領域とが形成されている、プリント物。【選択図】図１
2020001338.tif 000002
【特許請求の範囲】
【請求項１】
基材と、前記基材上に設けられた光沢層とを備え、
前記光沢層は、
透光性インクからなり、
前記基材の表面に、面内の第１の方向に沿って形成された第１の突条を含む第１領域と、前記第１の方向とは異なる第２の方向に沿って形成された第２の突条を含む第２領域とが形成されている、プリント物。
【請求項２】
前記第１の方向に対して、前記第２の方向は、１０〜８０°傾いている、請求項１記載のプリント物。
【請求項３】
前記第１領域と、前記第２領域とは、前記基材の面内において、離間した位置に形成されている、請求項１または２記載のプリント物。
【請求項４】
前記第１領域と、前記第２領域とは、前記基材の面内において、隣接した位置に形成されている、請求項１または２記載のプリント物。
【請求項５】
前記第１の突条は、前記第１の方向から前記第２の方向へ湾曲し、前記第２の突条と接続される湾曲部を備える、請求項４記載のプリント物。
【請求項６】
前記基材と前記光沢層との間に、意匠層をさらに備える、請求項１〜５のいずれか１項に記載のプリント物。
【請求項７】
前記基材は、透光性基材であり、
意匠層をさらに備え、
前記基材と、前記光沢層と、前記意匠層とが、順に形成されている、請求項１〜５のいずれか１項に記載のプリント物。
【請求項８】
前記意匠層は、木目調が印刷されている、請求項６または７記載のプリント物。
【請求項９】
前記基材は、木材原料からなる、請求項１〜７のいずれか１項に記載のプリント物。
【請求項１０】
基材上に透光性インクを付与して光沢層を設け、表面光沢を付与する光沢付与方法であり、
前記光沢層の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程を含む、光沢付与方法。
【請求項１１】
表面光沢を有するプリント物の製造方法であり、
インクジェット方式により、基材上に透光性インクを付与して光沢層を設けるインク付与工程を含み、
前記インク付与工程は、前記基材の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程である、プリント物の製造方法。
【発明の詳細な説明】
【技術分野】
【０００１】
本発明は、プリント物、光沢付与方法およびプリント物の製造方法に関する。より詳細には、本発明は、基材の表面に光沢の異なる複数の領域を設けることにより、特殊な表面光沢（照り）が、種々の絵柄の基材上に付与されたプリント物、光沢付与方法およびプリント物の製造方法に関する。
【背景技術】
【０００２】
従来、基材の表面に木目調や金属調等の絵柄を設けた化粧シートが開発されている。特許文献１には、基材の表面に木目調を設けた化粧シートが開示されている。ところで、ハードメイプル、マホガニー等の特定の木材の木肌は、杢（キルト杢）と呼ばれる特殊な表面光沢（照り）を示す。このような表面光沢は、光を受けた木材の細胞内部からの光反射や散乱によって起こるといわれており、見る角度によって立体的に模様が揺らめくように輝き、優れた意匠性および高級感を示す。このようなキルト杢を示す木材の種類が限定されていることと、キルト杢の中でも種々の強弱が存在することから、強いキルト杢を示す木材は、しばしば高額で取引されている。
【先行技術文献】
【特許文献】
【０００３】
【特許文献１】特開平１１−３２０８０４号公報
【発明の概要】
【発明が解決しようとする課題】
【０００４】
上記特許文献１に記載の発明によって形成される木目調は、キルト杢のような立体感のある特殊な表面光沢（照り）を付与することができない。また、このような特殊な表面光沢を付した種々の絵柄（たとえば金属調の絵柄に、金属では本来生じ得ないような上記キルト杢のような立体感のある特殊な表面光沢（照り）を付与した絵柄）を付したプリント物は、知られていない。
【０００５】
本発明は、このような従来の課題に鑑みてなされたものであり、特殊な表面光沢（照り）を、種々の絵柄上に表現したプリント物、光沢付与方法およびプリント物の製造方法を提供することを目的とする。
【課題を解決するための手段】
【０００６】
本発明者は、基材の表面に、透光性インクによって、それぞれ異なる方向に沿って延びる複数の突条をそれぞれ含む複数の領域を形成し、それぞれの領域が示す光沢の差を視覚効果として利用することにより、上記課題を好適に解決し得ることを見出し、本発明を完成させた。すなわち、上記課題を解決する本発明には、以下の構成が主に含まれる。
【０００７】
（１）基材と、前記基材上に設けられた光沢層とを備え、前記光沢層は、透光性インクからなり、前記基材の表面に、面内の第１の方向に沿って形成された第１の突条を含む第１領域と、前記第１の方向とは異なる第２の方向に沿って形成された第２の突条を含む第２領域とが形成されている、プリント物。
【０００８】
このような構成によれば、プリント物は、基材の表面に、面内の第１の方向に沿って形成された第１の突条を含む第１領域と、第１の方向とは異なる第２の方向に沿って形成された第２の突条を含む第２領域とが形成されている。そのため、プリント物を観察する観察者は、第１領域の第１の突条によって光が反射することによる光沢と、第２領域の第２の突条によって光が反射することによる光沢とが同時に視界に入ることにより、それぞれの光沢の光沢差に基づく視覚効果が得られる。このような視覚効果は、キルト杢のような立体感のある特殊な表面光沢（照り）に類似している。その結果、プリント物は、特殊な表面光沢（照り）を示すことができる。この際、プリント物は、基材の種類が特に限定されない。そのため、たとえば基材に木目調の絵柄を印刷することにより、プリント物は、本来は上記特殊な表面光沢を示さない木材の木目に対して、特殊な表面光沢を付与し得る。また、プリント物は、木目調でない他の絵柄（たとえば金属調、合成皮革調、各種幾何学模様等）を付した基材に対しても、上記特殊な表面光沢を付与し得る。そのため、得られるプリント物は、従来存在しなかった種々の意匠を表現し得る。
【０００９】
（２）前記第１の方向に対して、前記第２の方向は、１０〜８０°傾いている、（１）記載のプリント物。
【００１０】
このような構成によれば、プリント物は、特殊な表面光沢（照り）を、より強く示すことができる。
【００１１】
（３）前記第１領域と、前記第２領域とは、前記基材の面内において、離間した位置に形成されている、（１）または（２）記載のプリント物。
【００１２】
このような構成によれば、プリント物は、特殊な表面光沢（照り）を示すとともに、表面光沢の強度を変化させることができる。
【００１３】
（４）前記第１領域と、前記第２領域とは、前記基材の面内において、隣接した位置に形成されている、（１）または（２）記載のプリント物。
【００１４】
このような構成によれば、プリント物は、特殊な表面光沢（照り）を示すとともに、表面光沢の強度を変化させることができる。
【００１５】
（５）前記第１の突条は、前記第１の方向から前記第２の方向へ湾曲し、前記第２の突条と接続される湾曲部を備える、（４）記載のプリント物。
【００１６】
このような構成によれば、プリント物は、湾曲部によって、第１領域と第２領域とが接続されている。そのため、プリント物は、より自然で立体感のある特殊な表面光沢（照り）を表現することができる。
【００１７】
（６）前記基材と前記光沢層との間に、意匠層をさらに備える、（１）〜（５）のいずれかに記載のプリント物。
【００１８】
このような構成によれば、プリント物は、種々の図柄や模様の形成された意匠層に、特殊な表面光沢（照り）を付与することができる。また、プリント物は、表面において光を反射する製品となり得る。
【００１９】
（７）前記基材は、透光性基材であり、意匠層をさらに備え、前記基材と、前記光沢層と、前記意匠層とが、順に形成されている、（１）〜（５）のいずれかに記載のプリント物。
【００２０】
このような構成によれば、プリント物は、種々の図柄や模様の形成された意匠層に、特殊な表面光沢（照り）を付与することができる。また、プリント物は、基材が光を透過するため、裏面において光を反射する製品となり得る。
【００２１】
（８）前記意匠層は、木目調が印刷されている、（６）または（７）記載のプリント物。
【００２２】
このような構成によれば、プリント物は、木材以外の基材を用いる場合であっても、特殊な表面光沢（照り）を付与した木目調を形成し得る。そのため、プリント物は、基材の材料を選択する幅が拡がり、軽量化、低コスト化等の種々の付加価値を与え得る。
【００２３】
（９）前記基材は、木材原料からなる、（１）〜（７）のいずれかに記載のプリント物。
【００２４】
このような構成によれば、プリント物は、基材として特殊な表面光沢（照り）を示さない木材原料を用いる場合であっても、特殊な表面光沢（照り）を付与することができる。そのため、プリント物は、基材の材料を選択する幅が拡がり、低コスト化等の種々の付加価値を与え得る。
【００２５】
（１０）基材上に透光性インクを付与して光沢層を設け、表面光沢を付与する光沢付与方法であり、前記光沢層の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程を含む、光沢付与方法。
【００２６】
このような構成によれば、得られるプリント物は、第１領域の第１の突条によって光が反射することによる光沢と、第２領域の第２の突条によって光が反射することによる光沢とが付与される。これらの異なる光沢は、観察者がプリント物を観察する際に、同時に視界に入り、それぞれの光沢の光沢差に基づく視覚効果を与える。このような視覚効果は、キルト杢のような立体感のある特殊な表面光沢（照り）に類似している。その結果、光沢付与方法は、種々の基材に対して、特殊な表面光沢（照り）を付与し得る。
【００２７】
（１１）表面光沢を有するプリント物の製造方法であり、インクジェット方式により、基材上に透光性インクを付与して光沢層を設けるインク付与工程を含み、前記インク付与工程は、前記基材の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程である、プリント物の製造方法。
【００２８】
このような構成によれば、得られるプリント物は、第１領域の第１の突条によって光が反射することによる光沢と、第２領域の第２の突条によって光が反射することによる光沢とが付与される。これらの異なる光沢は、観察者がプリント物を観察する際に、同時に視界に入り、それぞれの光沢の光沢差に基づく視覚効果を与える。このような視覚効果は、キルト杢のような立体感のある特殊な表面光沢（照り）に類似している。その結果、プリント物の製造方法は、種々の基材に対して、特殊な表面光沢（照り）を付与し得る。
【発明の効果】
【００２９】
本発明によれば、特殊な表面光沢（照り）を、種々の絵柄上に表現したプリント物、光沢付与方法およびプリント物の製造方法を提供することができる。
【図面の簡単な説明】
【００３０】
【図１】図１は、本発明の一実施形態のプリント物の模式的な平面図である。
【図２】図２は、第１の突条の模式的な断面図である。
【図３】図３は、第１の突条の延びる角度を示す模式的な平面図である。
【図４】図４は、第１の突条の延びる角度を示す模式的な平面図である。
【図５】図５は、第１の突条の延びる角度を示す模式的な平面図である。
【図６】図６は、本発明の一実施形態のプリント物の変形例に関する模式的な平面図である。
【図７】図７は、基材と光沢層との間に意匠層が設けられたプリント物の層構成を説明するための模式図である。
【図８】図８は、光沢層上に意匠層が設けられたプリント物の層構成を説明するための模式図である。
【発明を実施するための形態】
【００３１】
＜プリント物＞
本発明の一実施形態のプリント物は、基材と、基材上に設けられた光沢層とを備える。図１は、本実施形態のプリント物１の模式的な平面図である。光沢層３は、透光性インクからなり、基材２の表面に、面内の第１の方向に沿って形成された第１の突条Ｐ１を含む第１領域Ｒ１と、第１の方向とは異なる第２の方向に沿って形成された第２の突条Ｐ２を含む第２領域Ｒ２とが形成されている。以下、それぞれについて説明する。
【００３２】
（基材２）
基材２は特に限定されない。一例を挙げると、基材２は、鋼板、アルミ、ステンレス等の金属板、アクリル、ポリカーボネート、ＡＢＳ、ポリプロピレン、ポリエステル、塩化ビニル等のプラスチック板またはフィルム、窯業板、コンクリート、木材、ガラス等である。また、基材２は、カチオン可染ポリエステル（ＣＤＰ）繊維、ポリエチレンテレフタレート（ＰＥＴ）繊維、ポリブチレンテレフタレート（ＰＢＴ）繊維、ポリトリメチレンテレフタレート（ＰＴＴ）繊維、全芳香族ポリエステル繊維、ポリ乳酸繊維等のポリエステル系繊維やアセテート繊維、トリアセテート繊維、ポリウレタン繊維、ナイロン繊維等またはこれらの複合繊維からなる布帛等であってもよい。これらは、用途に応じて適宜選定され得る。基材２が布帛である場合、布帛は、プリント前に、前処理剤により処理されることが好ましい。前処理剤としては、水溶性ポリマー、非水溶性不活性有機化合物、難燃剤、紫外線吸収剤、還元防止剤、酸化防止剤、ｐＨ調整剤、ヒドロトロープ剤、消泡剤、浸透剤、ミクロポーラス形成剤等が例示される。これら前処理剤を布帛に付与する方法としては、パッド法、スプレー法、浸漬法、コーティング法、ラミネート法、グラビア法、インクジェット法等が例示される。
【００３３】
本実施形態のプリント物１は、特定の木材が示すような特殊な表面光沢（照り）を付与することができる。そのため、たとえば、基材２が木材原料である場合には、プリント物１は、基材２として特殊な表面光沢（照り）を示さない木材原料が用いられている場合であっても、そのような基材２に対して特定の木材が示すような特殊な表面光沢（照り）を付与することができる。そのため、プリント物１は、基材２の材料を選択する幅が拡がり、低コスト化、量産化等の種々の付加価値を与え得る。
【００３４】
同様に、基材２が木材以外の原料（たとえば上記ポリカーボネート板等のプラスチック板等）である場合には、プリント物１は、本来は特殊な表面光沢（照り）を示さない原料からなる基材２に対しても、特定の木材が示すような特殊な表面光沢（照り）を付与することができる。そのため、プリント物１は、基材２の材料を選択する幅が拡がり、軽量化、低コスト化、量産化等の種々の付加価値を与え得る。また、得られるプリント物１は、従来、存在し得なかった、特定の木材が示すような特殊な表面光沢（照り）の付与されたプラスチック製や布帛等からなるプリント物となり得る。このようなプリント物１は、特殊な表面光沢を示すため、これまでにない意匠性を発揮することができる。
【００３５】
（光沢層３）
光沢層３は、基材２上に設けられる層であり、透光性インクをインクジェット方式にて塗布することにより形成される層である。透光性インクは特に限定されない。一例を挙げると、透光性インクは、水系インク、溶剤系インク、無溶剤系（モノマー希釈）インク等である。透光性インクに添加される樹脂は特に限定されない。一例を挙げると、樹脂は、紫外線硬化樹脂、熱可塑性樹脂、熱硬化性樹脂等である。
【００３６】
光沢層３は、基材２の表面における面内の第１の方向に沿って形成された第１の突条Ｐ１を含む第１領域Ｒ１と、第１の方向とは異なる第２の方向に沿って形成された第２の突条Ｐ２を含む第２領域Ｒ２とが形成されている。なお、本実施形態の光沢層３に設けられる領域の数は、２以上であればよい。図１には、３つの領域を含む表面層が設けられている場合が例示されている。第１領域Ｒ１および第２領域Ｒ２は、これら３つ領域から選ばれる任意の領域である。
【００３７】
・第１領域Ｒ１
第１領域Ｒ１は、所定の方向（第１の方向）に沿って延びる第１の突条Ｐ１が形成された領域である。第１の突条Ｐ１は、光沢層３の表面において、第１の方向に延びる突出部である。第１領域Ｒ１は、第１の突条Ｐ１が形成されていることにより、光を反射し、所望の光沢を示す。
【００３８】
第１の突条Ｐ１の形状は特に限定されない。図２は、第１の突条Ｐ１の模式的な断面図である。図２に示されるように、本実施形態の第１の突条Ｐ１は、垂直方向の断面形状が、基端部から先端部にかけて尖った鋸歯状であり、複数の第１の突条Ｐ１同士が隣接するよう形成されている。第１の突条Ｐ１の断面形状は、このような鋸歯状のほか、他の形状（たとえば楕円状、矩形状等）であってもよい。また、それぞれの第１の突条Ｐ１の断面形状は、異なっていてもよい。
【００３９】
それぞれの第１の突条Ｐ１の幅（Ｌ１）は特に限定されない。第１の突条Ｐ１の幅（Ｌ１）は、所望する光沢を生じるよう適宜設定される。一例を挙げると、第１の突条Ｐ１の幅（Ｌ１）は、１０μｍ以上であることが好ましく、３０μｍ以上であることがより好ましい。また、第１の突条Ｐ１の幅（Ｌ１）は、１０００μｍ以下であることが好ましく、５００μｍ以下であることがより好ましい。第１の突条Ｐ１の幅（Ｌ１）が上記範囲内であることにより、第１領域Ｒ１は、所望の光沢を示しやすい。なお、それぞれの第１の突条Ｐ１の幅（Ｌ１）は、異なっていてもよい。
【００４０】
それぞれの第１の突条Ｐ１の高さ（Ｌ２）は特に限定されない。第１の突条Ｐ１の高さ（Ｌ２）は、所望する光沢を生じるよう適宜設定される。一例を挙げると、第１の突条Ｐ１の高さ（Ｌ２）は、３０μｍ以上であることが好ましく、５０μｍ以上であることがより好ましい。また、第１の突条Ｐ１の高さ（Ｌ２）は、１０００μｍ以下であることが好ましく、２００μｍ以下であることがより好ましい。第１の突条Ｐ１の高さ（Ｌ２）が上記範囲内であることにより、第１領域Ｒ１は、所望の光沢を示しやすい。なお、それぞれの第１の突条Ｐ１の高さ（Ｌ２）は、異なっていてもよい。
【００４１】
それぞれの第１の突条Ｐ１の基材２に対する角度は特に限定されない。基材２に対する角度は、上記第１の突条Ｐ１の幅（Ｌ１）および高さ（Ｌ２）によって適宜調整され得る。一例を挙げると、基材２対する角度は、０°を超え、１８０°未満であることが好ましく、１０°以上１７０°以下であることがより好ましい。
【００４２】
第１の突条Ｐ１の延びる方向は、後述する第２領域Ｒ２の第２の突条Ｐ２の延びる方向と異なる方向であればよい。すなわち、第１の突条Ｐ１の延びる方向は、上面視において、プリント物１の横方向の一辺に対して０〜１８０°の任意の角度となる方向であってもよい（ただし、第２の突条Ｐ２の延びる方向とは異なる）。図３〜図５は、第１の突条Ｐ１の延びる角度を示す模式的な平面図である。第１の突条Ｐ１の延びる方向は、上面視において、プリント物１の横方向の一辺に対して３０°であってもよく（図３参照）、４５°であってもよく（図４参照）、６０°であってもよい（図５参照）。
【００４３】
・第２領域Ｒ２
第２領域Ｒ２は、第１の方向とは異なる所定の方向（第２の方向）に沿って延びる第２の突条Ｐ２が形成された領域である。第２の突条Ｐ２は、光沢層３の表面において、第２の方向に延びる突出部である。第２領域Ｒ２は、第２の突条Ｐ２が形成されていることにより、光を反射し、第１領域Ｒ１によって生じる光沢とは異なる所望の光沢を示す。これにより、プリント物１を観察する観察者は、光沢の異なる複数の領域（第１領域Ｒ１および第２領域Ｒ２）を同時に観察することにより、光沢差に基づく視覚効果を得ることができる。
【００４４】
第２の方向は、第１の方向と異なっていればよい。すなわち、第１の方向に対する第２の方向の角度は特に限定されない。一例を挙げると、第２の方向は、基材２の面内方向（すなわち図１に示される上面視）において、第１の方向に対して１０°以上傾いていることが好ましく、２０°以上傾いていることが好ましい。また、第２の方向は、基材２の面内方向において、第１の方向に対して８０°以下傾いていることが好ましく、７０°以下傾いていることが好ましい。第２の方向が第１の方向に対して上記範囲となる角度で傾いていることにより、第２領域Ｒ２によって生じる光沢が、第１領域Ｒ１によって生じる光沢と、光沢差を生じやすい。これにより、プリント物１を観察する観察者は、より大きな光沢差に基づく視覚効果を得ることができる。なお、後述するように、第１の突条Ｐ１や第２の突条Ｐ２が直線状でなく、たとえば湾曲する形状である場合、第１の方向に対する第２の方向の角度は、適宜変化してもよく、１０〜８０°の範囲内で変化することが好ましい。また、第１の突条Ｐ１および第２の突条Ｐ２が直線状でない場合、第１の突条Ｐ１および第２の突条Ｐ２は、部分的に、第１の方向と第２の方向とが同角度となってもよい。
【００４５】
第２の突条Ｐ２の形状、幅および高さは、第１の突条Ｐ１に関連して上記した形状、幅および高さと同様であり、特に限定されない。
【００４６】
上記した第１の突条Ｐ１および第２の突条Ｐ２の形状は、いずれも直線状に限定されない。すなわち、第１の突条Ｐ１は、第２の突条Ｐ２と異なる方向に沿って形成された部分を含んでいればよい。そのため、第１の突条Ｐ１および第２の突条Ｐ２は、いずれも湾曲した部分を含んでいてもよい。第１の突条Ｐ１は、第２の突条Ｐ２と近接する端部において、第２の突条Ｐ２と接続されるよう湾曲していてもよい。これにより、プリント物１は、異なる光沢を示す第１領域Ｒ１と第２領域Ｒ２とが、より滑らかに接続される。その結果、プリント物１は、第１領域Ｒ１に由来する光沢から第２領域Ｒ２に由来する光沢へと徐々に光沢を変化させることができ、より自然で立体感のある特殊な表面光沢（照り）を表現することができる。
【００４７】
光沢層３全体の説明に戻り、上記した第１領域Ｒ１および第２領域Ｒ２は、基材２の全面に形成されていてもよく、一部に形成されていてもよい。第１領域Ｒ１および第２領域Ｒ２が基材２表面の一部に形成される場合、残りの領域は、光沢層３が平坦に形成された領域であってもよく、光沢層３の形成されていない露出した基材２表面であってもよく、第１の突条Ｐ１および第２の突条Ｐ２とは異なる方向に沿って形成された第３の突条Ｐ３を含む第３領域Ｒ３であってもよい。なお、第３の突条Ｐ３は、上記した第１の突条Ｐ１または第２の突条Ｐ２と同様である。
【００４８】
図１に示されるプリント物１は、第１領域Ｒ１と第２領域Ｒ２とが隣接するよう形成されている。また、プリント物１は、第１領域Ｒ１および第２領域Ｒ２のほか、第３の突条Ｐ３を含む第３領域Ｒ３が形成されている。これにより、プリント物１は、光沢層３の全面に、所定の突条を含む領域が形成されている。このような第３領域Ｒ３が形成されていることにより、プリント物１は、第１領域Ｒ１〜第３領域Ｒ３に基づくそれぞれの光沢と、それらの光沢に基づく光沢差との影響により、より立体感のある特殊な表面光沢（照り）を示すことができる。
【００４９】
また、第１領域Ｒ１と第２領域Ｒ２とは、離間するよう形成されてもよい。図６は、本実施形態のプリント物の変形例（プリント物１ａ）に関する模式的な平面図である。図６に示されるように、プリント物１ａの光沢層３ａには、第１領域Ｒ１と、第１領域Ｒ１と離間した位置に形成された第２領域Ｒ２とが形成されている。これにより、プリント物１ａは、第１領域Ｒ１と第２領域Ｒ２とが隣接するよう形成されている場合（図１参照）と比較して、異なる表面光沢（照り）を示すことができる。
【００５０】
本実施形態のプリント物１は、特定の木材が示すような特殊な表面光沢（照り）を良好に発現するためには、第１の領域Ｐ１および第２の領域Ｐ２の面積は、それぞれ、１ｍｍ2以上となるよう形成されていることが好ましく、５ｍｍ2以上となるよう形成されていることがより好ましい。領域面積が上記範囲であることにより、プリント物１は、それぞれの領域に由来する光沢および光沢差を観察者に対して認識させやすく、特殊な表面光沢の視覚効果を発揮しやすい。
【００５１】
プリント物全体の説明に戻り、本実施形態のプリント物は、基材と光沢層との間に、意匠層が設けられてもよい。図７は、基材２ｂと光沢層３ｂとの間に意匠層４が設けられたプリント物（プリント物１ｂ）の層構成を説明するための模式図である。なお、図７において、矢印Ａは光が入射する方向を示している。
【００５２】
意匠層４は特に限定されない。一例を挙げると、意匠層４は、種々の図柄や模様の形成された層であり、各種木目調、金属調、カーボン調、合成皮革調、天然皮革調、石目調や、各種幾何学模様、写真等が形成された層である。プリント物１ｂは、このような意匠層４上に、上記した透光性インクからなる光沢層３ｂが形成されている。そのため、プリント物１ｂは、表面において光を反射する製品であり、種々の図柄や模様の形成された意匠層４に対して、特定の木材が示すような特殊な表面光沢（照り）が付与されている。
【００５３】
また、意匠層４は、木目調が印刷された層であることが好ましい。このような木目調が印刷されていることにより、プリント物１ｂは、木材以外の基材２ｂを用いる場合であっても、特定の木材が示すような特殊な表面光沢（照り）を付与した木目調を形成し得る。そのため、プリント物１ｂは、基材２ｂの材料を選択する幅が拡がり、軽量化、低コスト化等の種々の付加価値を与えられる。
【００５４】
また、プリント物は、基材２ｃとして透光性基材が採用される場合には、基材２ｃ上に上記した光沢層３ｃを形成し、さらに、光沢層３ｃ上に上記した意匠層４が形成されてもよい。図８は、光沢層３ｃ上に意匠層４が設けられたプリント物１ｃの層構成を説明するための模式図である。なお、図８において、矢印Ａは光が入射する方向を示している。このようなプリント物１ｃは、基材２ｃが透光性を示すため、裏面において光を反射する製品であり、種々の図柄や模様の形成された意匠層４に対して、特定の木材が示すような特殊な表面光沢（照り）が付与されている。
【００５５】
基材２ｃを構成する透光性材料は特に限定されない。一例を挙げると、透光性材料は、ガラス、水ガラス、低融点ガラス、シリコン樹脂、アルコキシシラン等の無機質材料や、アクリル樹脂、アクリル−スチレン樹脂、アクリルシリコン樹脂、セルロールアセトブチレート樹脂、セルロースプロピオネート樹脂、ポリメチルペンテン樹脂、ポリカーボネート樹脂、ポリスチレン樹脂、ポリエステル樹脂、エポキシ樹脂、ウレタン樹脂等の有機質材料である。
【００５６】
なお、基材２ｃを構成する透光性材料と、光沢層３ｃを構成する樹脂材料とは、異なる種類であることが好ましい。すなわち、基材２ｃを構成する透光性材料と、光沢層３ｃを構成する樹脂材料とが同じかまたは類似する透光性を示す場合、基材２ｃ上に光沢層３ｃが設けられると、第１領域Ｒ１により生じる光沢と、第２領域Ｒ２により生じる光沢との光沢差が判別されにくくなるためである。基材２ｃを構成する透光性材料が、光沢層３ｃを構成する樹脂材料と異なる種類であることにより、プリント物１ｃは、第１領域Ｒ１により生じる光沢と、第２領域Ｒ２により生じる光沢との光沢差が低減されにくく、特定の木材が示すような特殊な表面光沢（照り）を示しやすい。
【００５７】
以上、本実施形態のプリント物によれば、基材の表面に、面内の第１の方向に沿って形成された第１の突条を含む第１領域と、第１の方向とは異なる第２の方向に沿って形成された第２の突条を含む第２領域とが形成されている。そのため、プリント物を観察する観察者は、第１領域の第１の突条によって光が反射することによる光沢と、第２領域の第２の突条によって光が反射することによる光沢とが同時に視界に入ることにより、それぞれの光沢の光沢差に基づく視覚効果が得られる。このような視覚効果は、キルト杢のような立体感のある特殊な表面光沢（照り）に類似している。その結果、プリント物は、特定の木材が示すような特殊な表面光沢（照り）を示すことができる。
【００５８】
また、本実施形態のプリント物は、上記した特殊な表面光沢（照り）を、種々の基材に対して付与し得る。そのため、プリント物は、たとえば、家具、家電製品、自動車の内装部品、建材等の様々な製品や部品として利用され、これらの用途において高級感等を付与し得る。この際、プリント物は、基材の種類が特に限定されない。そのため、たとえば基材に木目調の絵柄を印刷することにより、プリント物は、本来は上記特殊な表面光沢を示さない木材の木目に対して、特殊な表面光沢を付与し得る。また、プリント物は、木目調でない他の絵柄（たとえば金属調、合成皮革調、各種幾何学模様等）を付した基材に対しても、上記特殊な表面光沢を付与し得る。そのため、得られるプリント物は、従来存在しなかった種々の意匠を表現し得る。
【００５９】
なお、本実施形態の第１の突条および第２の突条は、いずれも、基端部から先端部にかけて尖った鋸歯状であり、光沢層（または基材）の表面から上方に立設されている場合について例示した。本実施形態の第１の突条および第２の突条の形状は、このような立設された形状に限定されない。すなわち、第１の突条および第２の突条は、所定の厚みの光沢層が形成された後、光沢層の表面に平行な複数の溝を設けることにより、形成されてもよい。
【００６０】
＜プリント物の製造方法＞
本発明の一実施形態のプリント物の製造方法は、インクジェット方式により、基材上に透光性インクを付与して光沢層を設けるインク付与工程を含む。インク付与工程は、基材の表面に、面内の第１の方向に沿って第１の突条を含む第１領域を形成するとともに、第１の方向とは異なる第２の方向に沿って第２の突条を含む第２領域を形成するよう、透光性インクを付与する工程である。以下、それぞれについて説明する。なお、本実施形態のプリント物の製造方法は、インク付与工程に特徴を有する。そのため、インク付与工程以外の他の工程は、従来のプリント物の製造方法において採用されている工程と同様である。したがって、以下に示されるインク付与工程以外の工程は、例示であり、適宜、設計変更され得る。
【００６１】
（インク付与工程）
インク付与工程は、インクジェット方式により、基材上に透光性インクを付与して光沢層を設ける工程である。この際、インク付与工程は、基材の表面に、面内の第１の方向に沿って第１の突条を含む第１領域を形成するとともに、第１の方向とは異なる第２の方向に沿って第２の突条を含む第２領域を形成するよう、透光性インクを付与する。
【００６２】
インクジェット方式は特に限定されない。一例を挙げると、インクジェット方式は、荷電変調方式、マイクロドット方式、帯電噴射制御方式、インクミスト方式等の連続方式、ピエゾ方式、パルスジェット方式、バブルジェット（登録商標）方式、静電吸引方式等のオン・デマンド方式等である。また、インクジェット方式は、記録ヘッドを固定して記録媒体に噴射させるタイプのライン型、記録ヘッドを記録媒体に対して相対的に動かすタイプのシリアル型のどちらのタイプに採用されてもよい。
【００６３】
インクの付与量は特に限定されない。インクの付与量は、所望する光沢差を発揮するために必要な光沢層の厚みや突条の寸法等に合わせて適宜調整され得る。
【００６４】
インクが付与された基材は、適宜、硬化処理や乾燥処理が行われてもよい。
【００６５】
以上、本実施形態のプリント物の製造方法によれば、得られたプリント物は、第１領域の第１の突条によって光が反射することによる光沢と、第２領域の第２の突条によって光が反射することによる光沢とが付与される。これらの異なる光沢は、観察者がプリント物を観察する際に、同時に視界に入り、それぞれの光沢の光沢差に基づく視覚効果を与える。このような視覚効果は、キルト杢のような立体感のある特殊な表面光沢（照り）に類似している。その結果、プリント物の製造方法は、種々の基材に対して、特定の木材が示すような特殊な表面光沢（照り）を付与し得る。
【００６６】
なお、本実施形態では、基材に直接、光沢層を形成する場合について例示した。これに代えて、本実施形態のプリント物の製造方法は、上記したインク付与工程の前に、基材に意匠層を形成する意匠層形成工程を採用してもよい。この場合、意匠層は、公知のインクジェット方式にて、基材上に形成され得る。次いで、意匠層の形成された基材は、インク付与工程において、光沢層が設けられる。得られるプリント物は、表面において光を反射する製品であり、種々の図柄や模様の形成された意匠層に対して、特定の木材が示すような特殊な表面光沢（照り）が付与されている。
【００６７】
＜光沢付与方法＞
本発明の一実施形態の光沢付与方法は、基材上に透光性インクを付与して光沢層を設け、表面光沢を付与する光沢付与方法である。光沢付与方法は、光沢層の表面に、面内の第１の方向に沿って第１の突条を含む第１領域を形成するとともに、第１の方向とは異なる第２の方向に沿って第２の突条を含む第２領域を形成するよう、透光性インクを付与する工程を含む。
【００６８】
なお、本実施形態において使用される基材、光沢層および透光性インクは、いずれもプリント物およびプリント物の製造方法の実施形態において上記したものと同様である。また、基材上に透光性インクを付与して光沢層を設ける具体的な方法は、プリント物の製造方法の実施形態に関連して上記したとおりである。
【００６９】
本実施形態の光沢付与方法によれば、得られるプリント物は、第１領域の第１の突条によって光が反射することによる光沢と、第２領域の第２の突条によって光が反射することによる光沢とが付与される。これらの異なる光沢は、観察者がプリント物を観察する際に、同時に視界に入り、それぞれの光沢の光沢差に基づく視覚効果を与える。このような視覚効果は、キルト杢のような立体感のある特殊な表面光沢（照り）に類似している。その結果、光沢付与方法は、種々の基材に対して、特定の木材が示すような特殊な表面光沢（照り）を付与し得る。
【００７０】
また、本実施形態の光沢付与方法によれば、特定の木材が示すような特殊な表面光沢（照り）を、特定の木材以外の基材に対して付与することができる。そのため、光沢付与方法は、従来、成し得なかった高度な意匠を、種々の基材に対して付与することができ、意匠性の優れたプリント物を作製することができる。
【符号の説明】
【００７１】
１、１ａ、１ｂ、１ｃ  プリント物
２、２ｂ、２ｃ  基材
３、３ａ、３ｂ、３ｃ  光沢層
４  意匠層
Ｌ１  第１の突条の幅
Ｌ２  第１の突条の高さ
Ｐ１  第１の突条
Ｐ２  第２の突条
Ｐ３  第３の突条
Ｒ１  第１領域
Ｒ２  第２領域
Ｒ３  第３領域
【図１】
2020001338.tif 000003
【図２】
2020001338.tif 000004
【図３】
2020001338.tif 000005
【図４】
2020001338.tif 000006
【図５】
2020001338.tif 000007
【図６】
2020001338.tif 000008
【図７】
2020001338.tif 000009
【図８】
2020001338.tif 000010
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
基材と、前記基材上に設けられた光沢層とを備え、
前記基材は、鋼板、金属板、プラスチック板、フィルム、窯業板、コンクリート、木材、ガラスおよび布帛からなる群から選択される少なくとも１種であり（ただし、基材が透明部材である場合を除く）、
前記光沢層は、
透光性インクからなり、
前記基材の表面に、面内の第１の方向に沿って形成された第１の突条を含む第１領域と、前記第１の方向とは異なる第２の方向に沿って形成された第２の突条を含む第２領域とが形成されており、
前記第１の突条は、前記第１の方向から前記第２の方向へ湾曲し、前記第２の突条と接続される湾曲部を含む、プリント物。
【請求項２】
前記第１の方向に対して、前記第２の方向は、１０〜８０°傾いている、請求項１記載のプリント物。
【請求項３】
前記第１領域と、前記第２領域とは、前記基材の面内において、離間した位置に形成されている、請求項１または２記載のプリント物。
【請求項４】
前記第１領域と、前記第２領域とは、前記基材の面内において、隣接した位置に形成されている、請求項１または２記載のプリント物。
【請求項５】
前記基材と前記光沢層との間に、意匠層をさらに備える、請求項１〜４のいずれか１項に記載のプリント物。
【請求項６】
前記意匠層は、木目調が印刷されている、請求項５記載のプリント物。
【請求項７】
前記基材は、木材原料からなる、請求項１〜６のいずれか１項に記載のプリント物。
【請求項８】
基材上に透光性インクを付与して光沢層を設け、表面光沢を付与する光沢付与方法であり、
前記基材は、鋼板、金属板、プラスチック板、フィルム、窯業板、コンクリート、木材、ガラスおよび布帛からなる群から選択される少なくとも１種であり（ただし、基材が透明部材である場合を除く）、
前記光沢層の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程を含み、
前記第１の突条は、前記第１の方向から前記第２の方向へ湾曲し、前記第２の突条と接続される湾曲部を含むよう形成される、光沢付与方法。
【請求項９】
表面光沢を有するプリント物の製造方法であり、
インクジェット方式により、基材上に透光性インクを付与して光沢層を設けるインク付与工程を含み、
前記インク付与工程は、前記基材の表面に、面内の第１の方向に沿って第１の突条を含む第１領域を形成するとともに、前記第１の方向とは異なる第２の方向に沿って第２の突条を含む第２領域を形成するよう、前記透光性インクを付与する工程であり、
前記第１の突条は、前記第１の方向から前記第２の方向へ湾曲し、前記第２の突条と接続される湾曲部を含むよう形成され、
前記基材は、鋼板、金属板、プラスチック板、フィルム、窯業板、コンクリート、木材、ガラスおよび布帛からなる群から選択される少なくとも１種である（ただし、基材が透明部材である場合を除く）、プリント物の製造方法。
【請求項１０】
基材と、前記基材上に設けられた光沢層とを備え、
前記光沢層は、
透光性インクからなり、
前記基材の表面に、面内の第１の方向に沿って形成された第１の突条を含む第１領域と、前記第１の方向とは異なる第２の方向に沿って形成された第２の突条を含む第２領域とが形成されており、
前記基材は、透光性基材であり、
意匠層をさらに備え、
前記基材と、前記光沢層と、前記意匠層とが、順に形成されており、
前記第１の突条は、前記第１の方向から前記第２の方向へ湾曲し、前記第２の突条と接続される湾曲部を含む、プリント物。